(57)【要約】【課題】磁気ヘッドの外面に付着する汚れを確実に除去することができ、磁気ヘッドの記録・再生特性を良好に維持し、信頼性の高い磁気ディスク装置を提供する。【解決手段】磁気記録媒体１２が配置された領域の外側に、磁気ヘッドを退避位置に保持するランプ２０が設けられた磁気ディスク装置において、前記磁気ヘッドが前記退避位置と前記磁気記録媒体にロードされる位置との移動経路内に、前記磁気ヘッドの移動動作と干渉しない配置に、前記磁気ヘッドの外面にレーザ光を照射して磁気ヘッドの外面を加熱する光放射部３２が設けられ、前記磁気記録媒体１２に前記磁気ヘッドをロードした際に、磁気記録媒体が回転することによって生じる気流により、前記磁気ヘッドの外面に付着した汚れが除去されることを特徴とする。【選択図】図１
2009295206.tif 000002
【特許請求の範囲】
【請求項１】
磁気記録媒体が配置された領域の外側に、磁気ヘッドを退避位置に保持するランプが設けられた磁気ディスク装置において、
前記磁気ヘッドが前記退避位置と前記磁気記録媒体にロードされる位置との移動経路内に、前記磁気ヘッドの移動動作と干渉しない配置に、前記磁気ヘッドの外面にレーザ光を照射して磁気ヘッドの外面を加熱する光放射部が設けられ、
前記磁気記録媒体に前記磁気ヘッドをロードした際に、磁気記録媒体が回転することによって生じる気流により、前記磁気ヘッドの外面に付着した汚れが除去されることを特徴とする磁気ディスク装置。
【請求項２】
磁気記録媒体が配置された領域の外側に、磁気ヘッドを退避位置に保持するランプが設けられた磁気ディスク装置において、
前記退避位置に、前記磁気ヘッドの外面にレーザ光を照射して磁気ヘッドの外面を加熱する光放射部が設けられるとともに、
前記ランプに、前記磁気記録媒体が回転することによって生じる気流を導入するエア導入口と、前記退避位置に保持された前記磁気ヘッドの外面に向けて前記エア導入口に流入したエアを吹き出すエア吹出口を設けたことを特徴とする磁気ディスク装置。
【請求項３】
前記磁気ディスク装置は、1枚または複数枚の磁気記録媒体を備え、
前記磁気ヘッドは、前記磁気記録媒体の両面にロードされ、
前記エア導入口は、前記磁気記録媒体ごとに磁気記録媒体の上面と下面の周縁の近傍に設けられていることを特徴とする請求項２記載の磁気ディスク装置。
【請求項４】
前記磁気ディスク装置は、複数枚の磁気記録媒体を備え、
前記光放射部は、前記複数枚の磁気記録媒体にロードされる磁気ヘッドごとに配置されていることを特徴とする請求項１〜３のいずれか一項記載の磁気ディスク装置。
【請求項５】
前記磁気ディスク装置は、1枚または複数枚の磁気記録媒体を備え、
前記磁気ヘッドは、前記磁気記録媒体の両面にロードされ、
前記光放射部は、前記磁気記録媒体にロードされる一対の磁気ヘッドごとに配置されていることを特徴とする請求項１〜３のいずれか一項記載の磁気ディスク装置。
【請求項６】
前記光放射部は、前記磁気ヘッドが光放射部を横切って移動した際に、前記磁気ヘッドの浮上面の全面にレーザ光が照射されるようにレーザ光の放射領域が設定されていることを特徴とする請求項１〜５のいずれか一項記載の磁気ディスク装置。
【発明の詳細な説明】
【技術分野】
【０００１】
本発明は磁気ディスク装置に関し、より詳細には、磁気ヘッドのクリーニング機構を備えた磁気ディスク装置に関する。
【背景技術】
【０００２】
磁気ディスク装置においては、磁気記録媒体を高速で回転駆動し、磁気ヘッドとの間において情報を記録・再生する処理がなされる。磁気ヘッドはアクチュエータアームに支持されて磁気記録媒体上を揺動するが、アンロード状態において磁気ヘッドを退避させる方法として、磁気記録媒体が配置されている領域の外側に設けたランプに磁気ヘッドを退避させる方法がある。ランプには磁気ヘッドを支持する係止部が設けられており、磁気ヘッドを支持するヘッドサスペンションに設けられたフックを係止部に支持することにより、磁気ヘッドが退避位置に保持される。
【０００３】
磁気記録媒体の表面には潤滑油がコーティングされており、この潤滑油が磁気ヘッドの浮上面（ABS面）に付着することが見られている。また、磁気ディスク装置のモータやベアリング等の回転部品の潤滑油が磁気ディスク装置のケーシング内に飛散し、磁気ヘッドの外面に付着することもある。
磁気ヘッド（ヘッドスライダ）のABS面には、凹凸形状に浮上パターンが形成されており、とくに磁気ヘッドの素子近傍に形成された凹部に潤滑油等の汚れが付着しやすいことが認められている。
【０００４】
最近の磁気ディスク装置は高記録密度になるとともに、磁気記録媒体の表面からの磁気ヘッドの浮上量が低くなるように設定され、磁気記録媒体の表面と磁気ヘッドのABS面との離間間隔がきわめて狭くなってきている。この結果、磁気ヘッドの浮上量をより高精度に制御する必要があり、磁気ヘッドのABS面に汚れが付着することによって、磁気ヘッドの浮上量が変動し、磁気ヘッドによる記録・再生特性が劣化することが問題となっている。磁気ヘッドに潤滑油等の汚れが付着する問題を解消する方法として、磁気ディスク装置に磁気ヘッドのクリーニング機構を設けることが検討されている。
【特許文献１】特開２００６−３０２４１２号公報
【特許文献２】特開平１１−１９５２１３号公報
【発明の開示】
【発明が解決しようとする課題】
【０００５】
しかしながら、従来の磁気ヘッドのクリーニング機構は、クリーニングパッドに磁気ディスクの外面を接触させて汚れを除去するといった方法によるため、磁気ヘッドから的確に汚れを除去できなかったり、クリーンングパッドから汚れが磁気ヘッドに再付着するといったという問題があった。また、磁気ヘッドにクリーニングパッドを接触させる場合は、繰り返して磁気ヘッドがクリーニングパッドに接触することによって磁気ヘッドが損傷するといったことが起こり得る。
【０００６】
本発明はこれらの課題を解消すべくなされたものであり、磁気ヘッドの外面に付着する汚れを確実に除去することを可能とし、磁気ヘッドの記録・再生特性を良好に維持することを可能として、信頼性の高い磁気ディスク装置を提供することを目的とする。
【課題を解決するための手段】
【０００７】
上記目的を達成するため、本発明は以下の構成を備える。
すなわち、磁気記録媒体が配置された領域の外側に、磁気ヘッドを退避位置に保持するランプが設けられた磁気ディスク装置において、前記磁気ヘッドが前記退避位置と前記磁気記録媒体にロードされる位置との移動経路内に、前記磁気ヘッドの移動動作と干渉しない配置に、前記磁気ヘッドの外面にレーザ光を照射して磁気ヘッドの外面を加熱する光放射部が設けられ、前記磁気記録媒体に前記磁気ヘッドをロードした際に、磁気記録媒体が回転することによって生じる気流により、前記磁気ヘッドの外面に付着した汚れが除去されることを特徴とする。
【０００８】
また、磁気記録媒体が配置された領域の外側に、磁気ヘッドを退避位置に保持するランプが設けられた磁気ディスク装置において、前記退避位置に、前記磁気ヘッドの外面にレーザ光を照射して磁気ヘッドの外面を加熱する光放射部が設けられるとともに、前記ランプに、前記磁気記録媒体が回転することによって生じる気流を導入するエア導入口と、前記退避位置に保持された前記磁気ヘッドの外面に向けて前記エア導入口に流入したエアを吹き出すエア吹出口を設けたことを特徴とする。
【０００９】
また、前記磁気ディスク装置は、1枚または複数枚の磁気記録媒体を備え、前記磁気ヘッドは、前記磁気記録媒体の両面にロードされ、前記エア導入口は、前記磁気記録媒体ごとに磁気記録媒体の上面と下面の周縁の近傍に設けられていることにより、磁気記録媒体が回転することによって生じる気流が効率的にエア導入口に流入し、磁気ヘッドの外面に付着したよごれを効果的に除去することができる。
【００１０】
また、前記磁気ディスク装置は、複数枚の磁気記録媒体を備え、前記光放射部は、前記複数枚の磁気記録媒体にロードされる磁気ヘッドごとに配置されていることにより、複数枚の磁気記録媒体を備える磁気ディスク装置においても磁気ヘッドの汚れを効果的に除去することができる。
また、前記磁気ディスク装置は、1枚または複数枚の磁気記録媒体を備え、前記磁気ヘッドは、前記磁気記録媒体の両面にロードされ、前記光放射部は、前記磁気記録媒体にロードされる一対の磁気ヘッドごとに配置されていることにより、磁気記録媒体の両面にロードされる磁気ヘッドについても好適にクリーニングすることができる。
また、前記光放射部は、前記磁気ヘッドが光放射部を横切って移動した際に、前記磁気ヘッドの浮上面の全面にレーザ光が照射されるようにレーザ光の放射領域が設定されていることを特徴とする。
【発明の効果】
【００１１】
本発明に係る磁気ディスク装置によれば、レーザ光を利用して磁気ヘッドの外面を加熱し、磁気記録媒体が回転することによって生じる気流を利用して、磁気ヘッドをクリーニングするから、磁気ヘッドを損傷することなく、かつ確実に磁気ヘッドの汚れを除去することができる。また、退避位置に磁気ヘッドが退避した状態であっても、磁気記録媒体が回転することによって生じる気流をエア導入口から取り込み、磁気ヘッドに吹き出すことによって、効果的に汚れを除去することができる。磁気ヘッドの外面に付着する汚れを除去することにより、磁気ヘッドの浮上量が変動することを抑え、信頼性の高い磁気ディスク装置として提供することができる。
【発明を実施するための最良の形態】
【００１２】
（第１の実施の形態）
図１は本発明に係る磁気ディスク装置の第１の実施の形態についての概略構成を示す平面図である。
本実施形態の磁気ディスク装置は、平面形状が四角形の箱状に形成されたケーシング１０内に、磁気記録媒体１２と、磁気記録媒体１２との間で情報を記録・再生する磁気ヘッド１４を支持するアクチュエータアーム１６を配する。
本実施形態においては、磁気記録媒体１２は、軸１２ａに１枚、取り付けられ、スピンドルモータによって一方向に回転駆動される。
アクチュエータアーム１６は、磁気記録媒体１２の側方に軸支され、アクチュエータにより、アームが磁気記録媒体１２の面に対して平行な面内において揺動するように駆動される。
【００１３】
アクチュエータアーム１６の先端にはヘッドサスペンション１８が取り付けられ、ヘッドサスペンション１８の先端に、ヘッドサスペンション１８を退避位置に支持するためのフック１８ａが設けられている。
磁気ヘッド１４はヘッドサスペンション１８の先端に磁気記録媒体１２にABS面を対向させて搭載される。図１においては、磁気ヘッド１４はヘッドサスペンション１８の下面側に位置し、図にあらわれていない。
【００１４】
本実施形態の磁気ディスク装置は、磁気ヘッド１４をアンロードさせる際に、磁気記録媒体１２が配置されている領域の外側に磁気ヘッド１４を移動させて退避させる方式のものである。
ランプ２０は磁気ヘッド１４を退避位置に退避させるためのものであり、磁気記録媒体１２の周縁部の外側位置に配置されている。ランプ２０には、磁気ヘッド１４を退避位置に保持するため、ヘッドサスペンション１８に設けたフック１８ａを係止する係止部が設けられている。
図１においてＡ位置は、フック１８ａがランプ２０に係止され、磁気ヘッド１４が退避位置にある状態である。Ｂ位置は、ランプ２０から磁気記録媒体１２に向けてアクチュエータアーム１６が回動している状態である。Ｃ状態は、磁気記録媒体１２上に磁気ヘッド１４がある状態で（ロード状態）である。
【００１５】
本実施形態の磁気ディスク装置において特徴とする構成は、磁気ヘッドの外面、具体的にはABS面をクリーニングする機構として、アクチュエータアーム１６がＢ位置にある状態において、レーザ光を用いて磁気ヘッドのABS面を加熱する機構を設けたことにある。
加熱機構は、レーザ光源３０と、磁気ヘッド１４に向けてレーザ光を放射する光放射部３２と、レーザ光源３０と光放射部３２とを接続する光ファイバー等の導波路３６とを備える。レーザ光源３０には、たとえば半導体レーザが用いられる。
光放射部３２は、磁気ヘッド１４がランプ２０に保持された退避位置から、磁気記録媒体１２にロードされる位置、具体的には磁気記録媒体１２の外周縁位置との間を移動する移動経路内に、磁気ヘッド１４に向けて光を放射する配置に設ける。実際には、磁気ヘッド１４のロード・アンロード操作を効率的に行うため、ランプ２０は磁気記録媒体１２の外縁の近傍に配置される。
【００１６】
図２（ａ）は、ヘッドサスペンション１８に支持された磁気ヘッド（ヘッドスライダ）１４の移動経路の下方に光放射部３２が配置されることを示す。光放射部３２は、ケーシング１０の底面上に配置されている。図２（ｂ）は、ヘッドサスペンション１８に支持された磁気ヘッド１４が、Ａ位置からＢ位置、Ｃ位置へと、光放射部３２を横切るように移動することを示す。磁気ヘッド１４がＡ位置からＢ位置を通過して、磁気記録媒体１２上のＣ位置にまで移動する際に、光放射部３２から磁気ヘッド１４に向けてレーザ光が照射される。
【００１７】
図３は、光放射部３２における内部構成を示す。レーザ光源３０から導波路３６を介して光放射部３２に導いたレーザ光を、図３（ｂ）に示すように、レンズ３３を用いて拡散させ、拡散光を光ファイバーにより光放射部３２の本体３２ａ内に導く。本体３２ａ内には、拡散光を反射するミラーまたはプリズム３４を配置し、ミラーまたはプリズム３４によって反射されたレーザ光を本体３２ａの上部に設けた開口窓３５から放射する。
図３（ａ）は、光放射部３２を平面方向から見た状態であり、それぞれのミラー３４によって反射されたレーザ光が３つの楕円が連なった形状に放射されることを示す。
図３（ｃ）は、光放射部３２を右側面方向から見た状態である。レーザ光は側面方向から見た場合は細幅に放射されることを示す。
【００１８】
光放射部３２からのレーザ光の放射領域を長手方向（磁気ヘッドが移動する方向とは直交する方向）に延びる形態としているのは、磁気ヘッド１４がランプ２０から磁気記録媒体１２に向けて移動する際に、磁気ヘッド１４のABS面をスイープするようにレーザ光を照射するためである。図３（ａ）、（ｂ）において、レーザ光の放射領域の長手方向の寸法は、ヘッドスライダーの長手方向の長さよりも長く設定する。これによって、ランプ２０から磁気記録媒体１２上に磁気ヘッド１４が移動する際に、磁気ヘッド１４のABS面の全面にレーザ光がスイープされるようにして照射される。
なお、磁気ヘッド１４において汚れが付着しやすい素子近傍のみの汚れを除去する場合には、素子近傍部分のみにレーザ光を照射するようにしてもよい。
【００１９】
磁気ヘッド１４の外面に付着する汚れは、潤滑油等の比較的低温で軟化する性質のものである。潤滑油等であれば４０℃〜６０℃程度に加熱することによって軟化する。アクチュエータアーム１６が、ランプ２０から磁気記録媒体１２上に移動する際に、磁気ヘッド１４に光放射部３２からのレーザ光が照射される時間が短時間であるとしても、レーザ光のパワーを調節することによって、磁気ヘッド１４の外面を所要の温度に加熱することができる。なお、レーザ光は磁気ヘッド１４の外面のうち主としてABS面に照射されるが、レーザ光の放射方向あるいは磁気ヘッド１４の形態によっては、ABS面以外の側面にレーザ光が照射され、ABS面以外の磁気ヘッド１４の外面が加熱されることは生じ得る。
【００２０】
光放射部３２によって磁気ヘッド１４の外面が加熱され、磁気記録媒体１２上に磁気ヘッド１４が移動すると、磁気記録媒体１２が回転することによって生じる気流あるいは風圧により磁気ヘッド１４の外面、主としてABS面に付着した汚れが飛散して除去される。このように、磁気ヘッド１４の外面に付着した汚れを除去する作用は、磁気記録媒体１２による気流、風圧を利用するものであるから、磁気ヘッド１４を加熱する際には、磁気記録媒体１２の回転によって生じる気流を利用して汚れが除去できる程度に加熱する必要がある。加熱機構によって磁気ヘッド１４を加熱する温度は適宜設定すればよいが、通常は、磁気ディスク装置の環境温度以上程度に加熱する。
【００２１】
本実施形態のクリーニング機構によれば、磁気ヘッド１４をロードするごとにクリーニング操作をすることによって、磁気ヘッド１４は毎回、その外面（ABS面）がクリーニングされた状態から記録・再生操作が開始されることになる。磁気ヘッド１４を退避位置から磁気記録媒体１２上にロードする操作は繰り返してなされる操作であるから、磁気ヘッド１４をロードするごとにクリーニングすることによって、磁気ヘッド１４を常時、きれいな状態に維持することが可能となる。
磁気ディスク装置を動作させると、ケーシング１０内には磁気記録媒体１２以外から汚れが発生し、これらの汚れが磁気ヘッド１４の外面に付着する可能性があるが、磁気ヘッド１４をロードするごとにクリーニングすることによってこれらの汚れについても繰り＾ニングされる。
【００２２】
こうして、磁気ヘッド１４のABS面に潤滑油等による汚れが付着しても、クリーニング機構によって汚れが除去されることにより、磁気ヘッド１４の浮上特性が好適に維持さ、磁気ヘッド１４による記録・再生操作の信頼性を向上させることが可能となる。
【００２３】
図４は、加熱機構によるクリーニング機構を備えた磁気ディスク装置の他の構成例を示す。この磁気ディスク装置においては、磁気ディスク装置のケーシング１０の外部にレーザ光源３０を配置し、コネクタ３８を介して、レーザ光源３０と光放射部３２とを導波路３６によって接続する構成としている。光放射部３２の構成は上述した実施の形態と同様である。
【００２４】
図４に示す磁気ディスク装置は、磁気記録媒体１２に信号を記録する際に磁気記録媒体１２を局所的に加熱する熱アシスト機構を備えた製品の例である。熱アシスト機構は、磁気ヘッド１４から磁気記録媒体１２にレーザ光を照射して磁気記録媒体１２を局所的に加熱する。図４において、レーザ光源４０は熱アシスト機構に用いるものであり、導波路４２を介してレーザ光源４０から磁気ヘッド１４にまでレーザ光が導かれている。
このように、レーザ光を用いた熱アシスト機構を備える場合は、熱アシスト機構に用いるレーザ光源４０をクリーニング機構のレーザ光源３０として共用することも可能である。レーザ光源４０をクリーニング機構の光源としても利用する場合は、クリーニング用にレーザ光源４０のレーザ光のパワーを制御し、磁気ヘッド１４を磁気記録媒体１２上にロードする際にクリーニング作用をなすようにレーザ光を切り換えるといった制御を行えばよい。
【００２５】
また、本実施形態においては、レーザ光源３０と光放射部３２とを導波路３６を介して接続する構成としたが、光放射部３２自体に半導体レーザ素子のようなレーザ光源を内蔵して磁気ヘッド１４を加熱する構造とすることも可能である。磁気ヘッド１４の素子近傍部分のみにレーザ光を照射して加熱するような場合には、光放射部３２は、単にレーザ素子を配置する構成とすることも可能である。
【００２６】
（第２の実施の形態）
図５は本発明に係る磁気ディスク装置の第２の実施の形態についての概略構成を示す平面図である。
本実施形態の磁気ディスク装置は、磁気記録媒体１２の両面を記録面として使用する場合のように、複数のアクチュエータアーム１６を備える磁気ディスクにおいて、各々のアクチュエータアームに支持された磁気ヘッド１４をクリーニングする機構を設けた例である。
本実施形態においても、磁気ヘッド１４のクリーニング機構として、レーザ光源３０と、磁気ヘッド１４にレーザ光を照射する光放射部３２と、レーザ光源３０と光放射部３２とを接続する光ファイバー等の導波路３６を備える。磁気ヘッド１４を退避位置（アンロード位置）に支持するランプ２０を備える構成ついても、第１の実施の形態と同様である。
【００２７】
図６に、磁気記録媒体１２の上面と下面の各々に、ABS面を対向させて磁気ヘッド１４をロードさせる場合における、磁気ヘッドのクリーニングに用いる加熱機構を示す。
磁気ヘッド１４の退避位置に配置されたランプ２０には、磁気ヘッド１４を支持するヘッドサスペンション１８に設けたフック１８ａが係止される係止部２１が形成されている。係止部２１は、各々の磁気ヘッド１４を支持するヘッドサスペンション１８の高さ位置に合わせて形成され、高さ方向には離間する配置となっている。
【００２８】
図６は、1枚の磁気記録媒体１２の両面に磁気ヘッド１４が配した例であるが、磁気記録媒体１２を複数枚備える磁気ディスク装置の場合は、各々の磁気記録媒体１２ごとに上面と下面とに磁気ヘッド１４が配され、これらの磁気ヘッド１４を支持するヘッドサスペンション１８の高さ位置に合わせてランプ２０に係止部２１が設けられる。
【００２９】
本実施形態においては、磁気ヘッド１４が退避位置から磁気記録媒体１２にロードされる位置まで移動する移動経路内に、磁気記録媒体１２ごとに対向する配置に支持された一対の磁気ヘッド１４に対して一度にレーザ光を照射する光放射部３２を配置している。ヘッドサスペンション１８に支持された磁気ヘッド１４の対向するABS面の間には、一定の離間間隔が確保されるから、この離間スペース内に光放射部３２を配置する。
本実施形態においては、ランプ２０の本体から、対向して支持されている磁気ヘッド１４の離間スペースに向けて支持アーム２２を延設し、支持アーム２２に磁気ヘッド１４の外面と干渉しない配置（高さ位置）に光放射部３２を支持した。光放射部３２は、磁気ヘッド１４をロードする際に、磁気ヘッド１４のABS面が光放射部３２を横切るように配置する。
【００３０】
光放射部３２とレーザ光源３０とは、ケーシング１０の底面に沿って延設された導波路３６に、ランプ２０の本体に沿って起立して配置された導波路３６ａを接続し、導波路３６ａから光放射部３２に接続する導波路３６ｂを分岐させて接続する。導波路３６ｂは支持アーム２２に沿って、光放射部３２に延設する。
磁気記録媒体１２が複数枚設置され、各々の磁気記録媒体１２の上面と下面に磁気ヘッド１４がロードされる場合は、各磁気記録媒体１２ごとに光放射部３２を配置し、光放射部３２とレーザ光源３０とを同様に接続すればよい。
【００３１】
光放射部３２は、光放射部３２の上側と下側を横切るようにして通過する磁気ヘッド１４の双方にレーザ光を照射する。
図６（ａ）は、図３に示した光放射部３２を、レーザ光が上向きと下向きに放射されるように上下２段に配置し、一対の磁気ヘッド１４に一度にレーザ光を照射するようにした例である。
図６（ｂ）、（ｃ）は、光放射部３２の本体３２ａの上面と下面に開口窓３５を設け、光放射部に入射したレーザ光を上方と下方に反射するミラーまたはプリズム３４ａを用いて反射させ、光放射部３２から上方と下方にレーザ光が照射して、磁気ヘッド１４の双方にレーザ光を照射する例である。
光放射部３２に入射する光を拡散させてレーザ光のビーム幅を広げること、レーザ光を複数のビームとして放射すること、レーザ光の放射領域が磁気ヘッド１４の長手方向の全域に及ぶようにすることは第１の実施の形態におけると同様である。
【００３２】
こうして、本実施形態の磁気ディスク装置においては、ランプ２０から磁気記録媒体１２上に磁気ヘッド１４が移動する際に、光放射部３２から一対の磁気ヘッド１４の双方にレーザ光が照射され、双方の磁気ヘッド１４の外面を加熱する。磁気ヘッド１４が加熱され磁気ヘッド１４の外面に付着した汚れが軟化することにより、磁気ヘッド１４が磁気記録媒体１２上にロードされた際に、磁気記録媒体１２の回転によって生じる気流あるいは風圧によって汚れが飛散され、磁気ヘッド１４の外面がクリーンングされる。このクリーニング作用は、磁気記録媒体１２の上面と下面にロードされる磁気ヘッド１４に対して、まったく同様に作用する。
【００３３】
こうして、磁気記録媒体１２の両面に磁気ヘッド１４がロードされる場合であっても、光放射部３２を用いた加熱機構を利用することによって磁気ヘッド１４をクリーニングした状態で、磁気ヘッド１４の記録・再生処理を開始させることができる。
磁気ディスク装置には、複数枚の磁気記録媒体１２を備え、磁気記録媒体１２の片面のみに磁気ヘッド１４をロードする製品がある。この場合には、磁気記録媒体１２にロードされる磁気ヘッド１４の高さに合わせて、図３に示す片側からレーザ光が放射される光放射部３２を配置すればよい。光放射部３２は、各々の磁気ヘッド１４が通過する移動経路内に、磁気ヘッド１４の外面（ABS面）がレーザ光によってスイープされるように配置する。
【００３４】
図５では、磁気記録媒体１２の周囲に磁気ヘッド１４から飛散した潤滑油等の汚れを吸着・捕集する捕集部材としてフィルター５０ａ、５０ｂ、５０ｃを配置している。磁気ヘッド１４に付着した汚れは、磁気記録媒体１２の周縁部に磁気ヘッド１４を移動させたｔころで飛散するから、磁気記録媒体１２の周囲に近接させてフィルター５０ａ〜５０ｃを配置することは有効である。
図６は、ランプ２０の本体の側面にフィルター５０ｄを配置したことを示す。ランプ２０は磁気記録媒体１２の周縁部に近接して配置され、磁気記録媒体１２の回転方向について磁気ヘッド１４の下流側に位置するから、ランプ２０の本体の側面にフィルター５０ｄを設けることは有効である。
フィルター５０ａ〜５０ｄには、潤滑油等のフィルターに捕集した汚れがフィルターから散逸しないように吸着する素材を使用して、磁気ディスク内で再汚染が生じないようにするのがよい。
【００３５】
（第３の実施の形態）
図８は本発明に係る磁気ディスク装置の第３の実施の形態についての概略構成を示す平面図である。
本実施形態の磁気ディスク装置における磁気ヘッド１４のクリーニング機構は、磁気ヘッド１４が退避位置にある状態において、磁気ヘッド１４をクリーニングする構造としたものである。このため、ランプ２０の位置に光放射部３２を配置し、ランプ２０に磁気ヘッド１４が退避した際に、磁気ヘッド１４のABS面が加熱されるようにしている。レーザ光源３０と光放射部３２とは導波路３６を介して接続される。
【００３６】
本実施形態においては、ランプ２０に、磁気記録媒体１２が回転することによって生じる気流を導入するエア導入口２３と、退避位置にある磁気ヘッド１４のABS面に向けてエアを吹き出すエア吹出口２４とを設ける構造としている。
図１１に、ランプ２０の部分斜視図を示す。ランプ２０の磁気記録媒体１２に対向する側面には、磁気記録媒体１２の周縁部の上方に先端が延出するエア導入部２３ａが形成されている。エア導入部２３ａの、磁気記録媒体１２の回転によって生じる気流が流入する側にエア導入口２３が開口する。図のように、エア導入部２３ａは、１枚の磁気記録媒体１２の周縁部分を挟む配置に一対設けられ、各々のエア導入部２３ａにエア導入口２３が設けられている。
【００３７】
ランプ２０の正面には、ヘッドサスペンション１８に設けられたフック１８ａを係止する係止部２１が設けられている。係止部２１の磁気記録媒体１２に対向する側の側面はスロープ面に形成される。磁気ヘッド１４が磁気記録媒体１２にロードされていた状態から退避位置に退避する際に、ヘッドサスペンション１８のフック１８ａがスロープ面によってガイドされながら係止部２１上にスライド移動し、係止部２１にフック１８ａが接することによって支持される。係止部２１は、磁気ヘッド１４を支持するヘッドサスペンション１８ごとに、ランプ２０において上下に所定間隔をあけて配置される。
エア吹出口２４は上下に離間する係止部２１の中間に、磁気ヘッド１４の退避位置に合わせて開口する。各々の磁気記録媒体１２ごとに一対設けられているエア導入口２３は、ランプ２０の本体内に形成された連絡流路を介してエア吹出口２４に連通する。
【００３８】
図９は、ランプ２０と光放射部３２との平面配置を示す。
ランプ２０に設けられたエア導入部２３ａが、磁気記録媒体１２の周縁部上に延出し、エア導入口２３とエア吹出口２４が連絡流路２５を介して連通する。
ヘッドサスペンション１８に支持された磁気ヘッド１４が退避位置にある下方に、光放射部３２が配置される。光放射部３２はケーシング１０の底板に立設されたスタッド２６および支持アーム２７によって支持される。
【００３９】
図１０に、ランプ２０における光放射部３２と磁気ヘッド１４との配置、エア導入口２３とエア吹出口２４の配置位置関係を示す。
光放射部３２は、係止部２１にヘッドサスペンション１８が支持され、一対の磁気ヘッド１４がABS面を対向させて支持された状態において、磁気ヘッド１４の中間位置に磁気ヘッド１４と干渉しない位置に設けられる。
光放射部３２とレーザ光源３０とは、ケーシング１０の底面に配された導波路３６と、スタッド２６に沿って起立する導波路３６ａと、支持アーム２７に支持された導波路３６ｂを介して接続される。
【００４０】
図１０においては、1枚の磁気記録媒体１２に対して光放射部３２を配置した例を示した。磁気記録媒体１２が複数枚設置されている場合は、各々の磁気記録媒体１２について、スタッド２６に同様の構成によって光放射部３２を配すればよい。
光放射部３２からは、上下に配置された磁気ヘッド１４のABS面に向けてレーザ光が照射される。光放射部３２の構成は、図６、７に示した構成と同様である。ただし、前述した実施形態においては、レーザ光によって磁気ヘッド１４のABS面をスイープするようにして加熱したが、本実施形態においては、磁気ヘッド１４が停止した状態で加熱するから、レーザ光がABS面の全面に照射されるようにする。場合によっては、ABS面の全面にレーザ光を照射するかわりに、リード・ライト素子近傍といった、汚れが溜まりやすい部位について局所的に加熱するようにしてもよい。
【００４１】
本実施形態のクリーニング機構は、磁気ヘッド１４がランプ２０によって支持される退避位置に退避した際に、磁気ヘッド１４に向けて光放射部３２からレーザ光を照射し、エア導入口２３から導入されたエアをエア吹出口２４から磁気ヘッド１４のABS面に吹き出すことによってなされる。磁気ヘッド１４のABS面にレーザ光を照射することにより、ABS面に付着した潤滑油等の汚れが軟化し、エア吹出口２４から吹き出されるエアによって汚れが磁気ヘッド１４から飛散されて除去される。
【００４２】
磁気ヘッド１４がロード位置から退避位置に移動した際であっても、磁気記録媒体１２は一定時間回転するから、その際に磁気ヘッド１４をクリーニングすることができる。また、磁気ヘッド１４をアンロード位置から磁気記録媒体１２上にロードする際にも、磁気記録媒体１２が回転開始することによって生じる気流を利用して、磁気ヘッド１４のABS面をクリーニングしてからロードすることが可能である。ランプ２０に汚れを吸着して捕集するフィルター５０ｅを設けることも有効である。
【００４３】
上述した実施形態は、磁気記録媒体１２の両面に磁気ヘッド１４をロードする磁気ディスク装置の例である。磁気記録媒体１２の片面のみに磁気ヘッド１４をロードする場合も、上述したと同様の構成によって、磁気ヘッド１４が退避位置にある状態で磁気ヘッド１４の外面をクリーニングすることができる。この場合は、退避位置にある磁気ヘッド１４の外面にレーザ光を照射する光放射部３２を設け、エア導入口２３に流入したエアをエア吹出口２４から磁気ヘッド１４の外面（ABS面）に向けて吹き出させるようにすればよい。
【００４４】
図１２は、磁気ヘッド１４がアンロード状態にある場合と、ロード状態にある場合とでランプ２０の向きが変えられるように、ランプ２０を軸２８を支点として平面内において回動可能に形成した例である。図１２（ａ）は、アンロード状態、図１２（ｂ）はロード状態を示す。磁気ヘッド１４がアンロード状態においては、ランプ２０の向きをエア導入口２３が磁気記録媒体１２の周縁上に延出する向き（クリーニング位置）とし、ロード状態においては、エア導入口２３が磁気記録媒体１２の周縁と干渉しない外側に位置する（退避位置）ようにランプ２０の向きを設定する。
このように、ランプ２０の向きを可変にすることにより、磁気ヘッド１４をロードしている際に、ランプ２０が磁気ヘッド１４等の動作に影響を与えないようにすることができる。
【００４５】
ランプ２０に磁気ヘッド１４が退避した位置にある場合には、このように磁気ヘッド１４を加熱した状態において、気流あるいは風圧を利用することにより、磁気ヘッド１４のABS面から効率的に汚れを除去することができる。このように、磁気ヘッド１４が退避位置にある状態においてクリーニングする方法は、第１、第２の実施形態のように、磁気ヘッド１４が光放射部３２を横切る際に磁気ヘッド１４を加熱する方法と比較して、磁気ヘッド１４を加熱する時間的な余裕があるという利点がある。
【００４６】
磁気ヘッド１４が退避位置にある状態においてエア流を利用することは有効であるが、場合によっては、エア流を利用せす、単に、磁気ヘッド１４が退避位置にある状態において、光放射部３２により磁気ヘッド１４を加熱することによってクリーニングすることも可能である。この場合は、磁気ヘッド１４を磁気記録媒体１２にロードする事前に、磁気ヘッド１４を加熱しておき、磁気ヘッド１４が磁気記録媒体１２上にロードされた際に、気流によって磁気ヘッド１４のABS面から汚れを飛散させて除去する。この場合は、従来のランプ２０を使用することができる。
【００４７】
以上説明したように、本発明に係る磁気ディスク装置は、磁気ヘッドの外面に付着する潤滑油等の汚れをクリーニングする方法として、レーザ光を利用して磁気ヘッドを加熱し、磁気記録媒体１２の回転によって生じる気流、風圧を利用して汚れを除去するものである。したがって、磁気ヘッドにクリーニングパッドを接触させたりすることなく、無接触によってクリーニングすることができ、磁気ヘッドを擦ったりすることによって損傷させることがないという利点がある。
また、磁気ヘッドを磁気記録媒体にロードする操作の際にクリーニングすることによって、繰り返してクリーニングすることができ、磁気ヘッドを常時きれいな状態に維持することができる。これによって、磁気ヘッドの浮上量をきわめて低く設定するような場合であっても、磁気ヘッドを正確に浮上させることができ、磁気ヘッドの記録・再生特性を良好な状態に維持することができ、装置の信頼性を向上させることができる。
（付記１）  磁気記録媒体が配置された領域の外側に、磁気ヘッドを退避位置に保持するランプが設けられた磁気ディスク装置において、前記磁気ヘッドが前記退避位置と前記磁気記録媒体にロードされる位置との移動経路内に、前記磁気ヘッドの移動動作と干渉しない配置に、前記磁気ヘッドの外面にレーザ光を照射して磁気ヘッドの外面を加熱する光放射部が設けられ、前記磁気記録媒体に前記磁気ヘッドをロードした際に、磁気記録媒体が回転することによって生じる気流により、前記磁気ヘッドの外面に付着した汚れが除去されることを特徴とする磁気ディスク装置。
（付記２）  磁気記録媒体が配置された領域の外側に、磁気ヘッドを退避位置に保持するランプが設けられた磁気ディスク装置において、前記退避位置に、前記磁気ヘッドの外面にレーザ光を照射して磁気ヘッドの外面を加熱する光放射部が設けられるとともに、前記ランプに、前記磁気記録媒体が回転することによって生じる気流を導入するエア導入口と、前記退避位置に保持された前記磁気ヘッドの外面に向けて前記エア導入口に流入したエアを吹き出すエア吹出口を設けたことを特徴とする磁気ディスク装置。
（付記３）  前記ランプは、前記磁気ヘッドがアンロードの状態において前記エア導入口が前記磁気記録媒体の周縁上に位置するクリーニング位置と、前記磁気ヘッドがロード状態において、前記エア導入口が前記磁気記録媒体の周縁上から退避した退避位置との間で可動に設けられていることを特徴とする付記２記載の磁気ディスク装置。
（付記４）  前記エア導入口は、前記磁気記録媒体の周縁の近傍に設けられていることを特徴とする付記２または３記載の磁気ディスク装置。
（付記５）  前記磁気ディスク装置は、1枚または複数枚の磁気記録媒体を備え、前記磁気ヘッドは、前記磁気記録媒体の両面にロードされ、前記エア導入口は、前記磁気記録媒体ごとに磁気記録媒体の上面と下面の周縁の近傍に設けられていることを特徴とする付記２〜４のいずれか一項記載の磁気ディスク装置。 
（付記６）  前記磁気ディスク装置は、複数枚の磁気記録媒体を備え、前記光放射部は、前記複数枚の磁気記録媒体にロードされる磁気ヘッドごとに配置されていることを特徴とする付記１〜５のいずれか一項記載の磁気ディスク装置。
（付記７）  前記磁気ディスク装置は、1枚または複数枚の磁気記録媒体を備え、前記磁気ヘッドは、前記磁気記録媒体の両面にロードされ、前記光放射部は、前記磁気記録媒体にロードされる一対の磁気ヘッドごとに配置されていることを特徴とする付記１〜５のいずれか一項記載の磁気ディスク装置。
（付記８）  前記光放射部は、前記磁気記録媒体にロードされる一対の磁気ヘッドの双方にレーザ光を照射する配置に設けられていることを特徴とする付記７記載の磁気ディスク装置。
（付記９）  前記光放射部は、前記磁気ヘッドの浮上面の全面にレーザ光が照射されるようにレーザ光の放射領域が設定されていることを特徴とする付記１〜８のいずれか一項記載の磁気ディスク装置。
（付記１０）  前記光放射部は、前記磁気ヘッドに設けられたリード・ライト素子の近傍範囲にレーザ光が照射されるように設けられていることを特徴とする付記１〜８のいずれか一項記載の磁気ディスク装置。
（付記１１）  前記光放射部は、導波路を介してレーザ光源に接続されていることを特徴とする付記１〜１０のいずれか一項記載の磁気ディスク装置。
（付記１２）  前記レーザ光源が、熱アシストに用いるレーザ光源であることを特徴とする付記１１記載の磁気ディスク装置。
（付記１３）  前記磁気ヘッドから飛散した汚れを吸着して捕集する捕集部材が設けられていることを特徴とする付記１〜１２のいずれか一項記載の磁気ディスク装置。
（付記１４）  前記捕集部材は、前記磁気記録媒体の周縁に沿って配置されていることを特徴とする付記１３記載の磁気ディスク装置。
【図面の簡単な説明】
【００４８】
【図１】磁気ディスク装置の第１の実施の形態を示す平面図である。
【図２】磁気ヘッドをクリーニングする状態を示す説明図である。
【図３】磁気ディスク装置の他の構成例を示す平面図である。
【図４】識別層をパターニングした状態の断面図(a)および平面図(b)である。
【図５】磁気ディスク装置の第２の実施の形態を示す平面図である。
【図６】クリーニング機構の構成を示す説明図である。
【図７】光放射部の構成を示す説明図である。
【図８】磁気ディスク装置の第３の実施の形態を示す平面図である。
【図９】ランプと光放射部の平面図である。
【図１０】磁気ヘッドが退避位置にある状態における光放射部等との配置位置関係を示す説明図である。
【図１１】ランプの部分斜視図である。
【図１２】ランプをクリーニング位置と退避位置との間で可動に形成した例を示す説明図である。
【００４９】
１０  ケーシング
１２  磁気記録媒体
１４  磁気ヘッド
１６  アクチュエータアーム
１８  ヘッドサスペンション
１８ａ  フック
２０  ランプ
２１  係止部
２２  支持アーム
２３  エア導入口
２４  エア吹出口
２５  連絡流路
３０  レーザ光源
３２  光放射部
３４、３４ａ  ミラー
３５  開口窓
３６、３６ａ、３６ｂ  導波路
４０  レーザ光源
５０ａ、５０ｂ、５０ｃ、５０ｄ、５０ｅ  フィルター
【図１】
2009295206.tif 000003
【図２】
2009295206.tif 000004
【図３】
2009295206.tif 000005
【図４】
2009295206.tif 000006
【図５】
2009295206.tif 000007
【図６】
2009295206.tif 000008
【図７】
2009295206.tif 000009
【図８】
2009295206.tif 000010
【図９】
2009295206.tif 000011
【図１０】
2009295206.tif 000012
【図１１】
2009295206.tif 000013
【図１２】
2009295206.tif 000014